(57)【要約】【課題】従来の浮上式防波堤では設置できない水深においても設置可能で且つ吸気装置を必要としない簡単な構造の防波用浮きブロックを提供する。【解決手段】  厚鋼板により中空に形成された海に浮かび、海底のアンカー９にチェーン８により係留される防波浮きブロック１において、中央の支持タンク２とこの支持タンク２の長手方向に沿って上下方向及び前後方向に中空で矩形をした板状の防波タンク３〜６が支持タンク２に連通して一体に形成され、上方向の防波タンク３〜６には、防波用浮きブロック１が沈む深さを調整するためにブロック内に海水を供給する開閉可能な海水供給口７が設けられている。【選択図】図１
0003175720.tif 000002
【実用新案登録請求の範囲】
【請求項１】
厚鋼板により中空に形成された海に浮かび、海底のアンカーにチェーンにより係留される防波浮きブロックにおいて、
中央の支持タンクとこの支持タンクの長手方向に沿って上下方向及び前後方向に中空で矩形をした板状の防波タンクが前記支持タンクに連通して一体に形成され、
前記上方向の防波タンクには、防波用浮きブロックが沈む深さを調整するためにブロック内に海水を供給する開閉可能な海水供給口が設けられていることを特徴とする防波浮きブロック。
【請求項２】
上方向の防波タンクと下方向の防波タンクにチェーンがガイドされるチェーン案内管が設けられ、チェーンの下端がアンカーに設けられた案内輪にガイド可能に装着されていることを特徴とする請求項１記載の防波浮きブロック。
【考案の詳細な説明】
【技術分野】
【０００１】
本考案は、津波や高潮が発生した際に、波エネルギーを減衰させて海岸に達する波の高さを小さくして被害を最小限に抑えるために、海上に浮かべて防波する防波用浮きブロックに関する。
【背景技術】
【０００２】
特許文献１には、平穏時は海底に沈めてあり、必要な時に浮上させて津波の侵入に抵抗する構造であり、津波の押し波にも、引き波にも同等の抵抗を与えることができる浮上式防波堤が提案されている。  
【０００３】
特許文献１に記載された浮上式防波堤は、ほぼ平行に配置した２本の棒状浮体６１と、両棒状浮体の間に配置する防波板６２と、防波板６２の下面に取り付けた幕体６３とで構成される。棒状浮体６１には給気管６５を通して棒状浮体６１内に圧縮空気を供給して浮力を発生させまた、幕体６３は一端が防波板６２の下面に取り付けられ、幕体６３の裾に当たる他の端は、海底に設置したアンカー６４に取り付けられている。
【０００４】
津波の警報が出たら、陸上の給気装置（図示せず）から給気管６５を通して棒状浮体６１内に圧縮空気を供給して浮力を発生させるか、あるいは棒状浮体６１自体に、取り付けた圧縮空気の供給装置（図示せず）を、有線、無線を介した信号によって開放して棒状浮体６１の内部に圧縮空気を供給して浮力を発生させる。こうして平行する棒状浮体６１と、その間に設置した防波板６２が水面に浮上すると、防波板６２の下に取り付けた幕体６３は、水中で鉛直方向に展開する。
【先行技術文献】
【特許文献】
【０００５】
【特許文献１】特開２０１１−１５３４９２号公報
【考案の概要】
【考案が解決しようとする課題】
【０００６】
前記特許文献１に記載された浮上式防波堤は、棒状浮体６１に浮力を与えるための給気装置や給気管６５を設ける必要があるために構造が複雑になるという欠点がある。また、津波の原因となる地震により停電、有線・無線の通信手段の不通、給気装置の損傷により給気装置が作動せずに棒状浮体６１の浮力の発生ができずに浮上式防波堤が機能しなくなるという問題がある。
また、幕体６３を海面から海底のアンカー６４まで設ける必要があるため、水深の深いところでは幕体６３を張ることができずに設置できないという問題がある。
【０００７】
そこで、本考案は、前記従来の浮上式防波堤では設置できない水深においても設置可能で且つ吸気装置を必要としない簡単な構造の防波用浮きブロックを提供するものある。
【課題を解決するための手段】
【０００８】
請求項１の考案は、厚鋼板により中空に形成された海に浮かび、海底のアンカーにチェーンにより係留される防波浮きブロックにおいて、中央の支持タンクとこの支持タンクの長手方向に沿って上下方向及び前後方向に中空で矩形をした板状の防波タンクが前記支持タンクに連通して一体に形成され、前記上方向の防波タンクには、防波用浮きブロックが沈む深さを調整するためにブロック内に海水を供給する開閉可能な海水供給口が設けられていることを特徴とする防波浮きブロックである。
【０００９】
請求項２の考案は、上方向の防波タンクと下方向の防波タンクにチェーンがガイドされるチェーン案内管が設けられ、チェーンの下端がアンカーに設けられた案内輪にガイド可能に装着されていることを特徴とする請求項１記載の防波浮きブロックである。
【考案の効果】
【００１０】
本考案は、従来の浮上式防波堤では設置できない水深においても設置可能で且つ吸気装置を必要としない構造の簡単な防波用浮きブロックが得られる。
【図面の簡単な説明】
【００１１】
【図１】本考案の防波用浮きブロックの全体を示す斜視図である。
【図２】本考案の防波用浮きブロックの側面図である。
【図３】本考案の防波用浮きブロックの別実施例の側面図である。
【図４】本考案の防波用浮きブロックの設置状態を示す図である。
【図５】本考案の防波用浮きブロックの配置示す図である。
【図６】（ａ）は従来の浮上式防波堤斜視図、（ｂ）は浮力発生の構造を示す図である。
【考案を実施するための形態】
【００１２】
本考案の実施例について図面を参照しながら説明する。
図１〜３において、本考案の防波用浮きブロック１は、海に浮かぶように厚鋼板により中空に形成される。防波用浮きブロック１は、中央の支持タンク２とこの支持タンクに一体に設けられた上下方向及び前後方向の防波タンク３，４，５，６で構成される。
【００１３】
支持タンク２は縦断面が正方形のタンクである。なお、支持タンク２は、縦断面が正方形のタンクに代えて縦断面が円形の支持タンクであってもよい。
【００１４】
支持タンク２の上下方向及び前後方向の四方向に、中空で平面視が矩形で羽根型の防波タンク３〜６がそれぞれ支持タンク２と連通して設けられている。防波タンク３〜６は、強度を持たせるために支持タンク２の長手方向に分割して設けられる。なお、防波タンク３〜６を四方向ではなく、円形の支持タンクに三方向に上方向と１２０度の間隔で左右に設けてもよい。防波タンク３〜６により波の振幅を減衰させるとともに、波高を低減させる。
【００１５】
上方向の防波タンク３には、防波用浮きブロック１内に海水を供給する開閉可能な海水供給口７が形成されている。海水供給口７からブロック１内に供給する海水量を調整することにより防波用浮きブロック１が沈む深さを調整する。
【００１６】
下方向の防波タンク４及び前後方向５，６の防波タンク５，６にはチェーン８の一端が固定され、チェーンの他端は海底に沈めたアンカー９に固定されて、防波用浮きブロック１が係留される。
【００１７】
深いところに設置する防波用浮きブロック１は、図３に示すように、上方向の防波タンクと下方向の防波タンク４にはチェーン８がガイドされるチェーン案内管１０が設けられ、チェーン案内管１０は筋交い１１により支持されている。チェーン８の案内量を加減して防波用浮きブロック１が沈む深さを調整する。防波用浮きブロック１の下方には、チェーン８の下端はアンカー９に設けられた案内輪１２にガイドされて移動しやすく装着されている。
【００１８】
次に、本考案の防波用浮きブロック１の設置方法について説明する。
【００１９】
図４，５に示すように、防波用浮きブロック１の支持タンクの長手方向が波の進む方向に直交するように複数列配置する。防波用浮きブロック１の間には航路１３が形成されるが、波が航路を直進してそのまま海岸に達しないようにするため、防波用浮きブロック１を千鳥足状に配置して航路が直線状にならないようにする。
このように配置された本考案の防波用浮きブロック１に岸に向かう高波が遮られては波高が減少させられて岸に向かう波のエネルギーが減少する。
【符号の説明】
【００２０】
１：防波用浮きブロック
２：支持タンク
３：防波タンク
４：防波タンク
５：防波タンク
６：防波タンク
７：海水供給口
８：チェーン
９：アンカー
１０：チェーン案内管
１１：筋交い
１２：案内輪
１３：航路
６１：棒状浮体
６２：防波板
６３：幕体
６４：アンカー
６５：給気管
【図１】
0003175720.tif 000003
【図２】
0003175720.tif 000004
【図３】
0003175720.tif 000005
【図４】
0003175720.tif 000006
【図５】
0003175720.tif 000007
【図６】
0003175720.tif 000008